(57)【要約】【課題】  軽薄短小と、コスト降下でき、且つ平均的な均一さと高度の輝度を獲得可能な機能を有する光源構造を提供する。【解決手段】  発光ユニット１と光線案内板２とを有し、その中、発光ユニット１には発光部材１０と光源部材１１とを有し、また、発光部材１０としてコールド・カソード・チューブを使用し、光源部材１１が電気回路基板１２とその電気回路基板１２に配置される複数個の発光ダイオード１３と抵抗１４とからなり、発光部材１０と光源部材１１とにすべて電気コード１５が接続される。【選択図】      図３
0003102801.tif 000002
【実用新案登録請求の範囲】
【請求項１】
発光ユニットと光線案内板とを有し、
また、前記発光ユニットには発光部材と光源部材とを有し、前記発光部材と前記光源部材とがそれぞれ前記光線案内板の側辺部に配置されることを特徴とする光源構造。
【請求項２】
前記発光部材としてコールド・カソード・チューブを採用することを特徴とする請求項１に記載の光源構造。
【請求項３】
前記光源部材が電気回路基板とその電気回路基板に配置される複数個の発光ダイオードと抵抗とからなることを特徴とする請求項１に記載の光源構造。
【請求項４】
前記光線案内板が矩形に形成される扁平状の透明板体であることを特徴とする請求項１に記載の光源構造。
【請求項５】
前記光線案内板には、二つの細長い側辺部を有し、それらの二つの側辺部が対向しあうように配置され、且つ前記発光部材と前記光源部材とがそれぞれ対応しあうように前記光線案内板の二つの側辺部に配置されることを特徴とする請求項１に記載の光源構造。
【請求項６】
発光部材が前記光線案内板のある側辺部に配置され、前記側辺部に直交する両側辺部には前記光源部材が配置されることを特徴とする請求項１に記載の光源構造。
【考案の詳細な説明】
【技術分野】
【０００１】
本考案は、光源構造に係わり、特にドキュメントやフィルムなどをスキャニングするためのスキャナーに配置され、発光ユニットに対する改良の実施された光源の構造に関するものである。
【背景技術】
【０００２】
図１と図２に示すのは、従来のスキャナーにおける光源構造の発光ユニット８と光線案内板９との分解斜視図と断面図であり、発光ユニット８にはランプ・チューブ８０と光源部材８１とを有し、その中、光源部材８１が電気回路基板８２と電気回路基板８２に設けられる複数個の発光ダイオード同士８３と抵抗８４とからなり、光線案内板９が矩形に形成される扁平状の透明板体であり、そのある側辺部には方形の凹槽９０が形成され、凹槽９０にはランプ・チューブ８０が収納され、光源部材８１が光線案内板９の細長い側面部９１に配置され、細長い側面部９１が凹槽９０の側に緊密的に隣接しており、それによって光源部材８１とランプ・チューブ８０とを光線案内板９の同一の側面部に配置させるようにする。
【０００３】
しかしながら、発光ユニット８と光線案内板９との間の連接関係は、光源部材８１とランプ・チューブ８０とを光線案内板９の同一の側面部に配置すると共に、光源部材８１とランプ・チューブ８０とが上下方に並んで光線案内板９の側面部に配置され、これによって、ランプ・チューブ８０と光源部材８１の出射する光線が光線案内板９を通す厚さがそれぞれ異なるようになり、且つランプ・チューブ８０の出射する光線が凹槽９０の有する直角箇所を通す必要があるので、ランプ・チューブ８０の出射する光線がその直角箇所に干渉されることがあるので、大幅に前記光源構造全体の光線出射表面の均一さと輝度を影響し、また、光線案内板９の厚さを厚くする必要があるので、材料のコストがかなり高いという課題を有している。
【０００４】
前記の説明から分かるように、前記の従来の光源構造は、製造と実際に使用される場合、明らかに不便さと欠点を有し、改善される必要がある。
【考案の開示】
【考案が解決しようとする課題】
【０００５】
本考案は、発光ユニットの配置位置を改良することによって光源構造の厚さを薄く形成させると共に、その光源構造の体積を縮小し、時代に趨勢に応じて軽薄短小のニーズを満足し、且つ材料コストを節約できる優れた点をも有する、光源構造を提供することをその主要な解決しようとする課題とする。
【０００６】
また、本考案は、発光ユニットの配置位置を改良することによって、発光ユニット内のそれぞれの部材の出射する光線をすべて同じな厚さの光線案内板を透過させて出射させることができ、それぞれの光源構造全体の光線出射表面がすべて均一的にでき、且つそれぞれの部位に光線出射の均一さと輝度を向上できる、光源構造を提供することをその第二の解決しようとする課題とする。
【課題を解決するための手段】
【０００７】
前記の目的を図るために、本考案は、発光ユニットと光線案内板とを有し、前記発光ユニットには発光部材と光源部材とを有し、前記発光部材と前記光源部材とがそれぞれ前記光線案内板の側辺部に配置されることを特徴とする、光源構造を提供する。
【０００８】
本考案の特徴と技術内容とを解明するために、以下に添付図面を参照しながら本考案の好適な実施の形態を具体的で詳細的に説明するが、それらの説明による具体的な構造は単に本考案の実施可能な優れた実施例に過ぎず、本考案を狭義的に制限するものではないことは言うまでもない。
【考案を実施するための最良の形態】
【０００９】
図３ないし図５に示すように、本考案は、一種の光源構造を提供し、当該光源構造には、発光ユニット１と光線案内板２とを有し、その中、発光ユニット１には発光部材１０と光源部材１１とを有し、また、発光部材１０としてコールド・カソード・チューブを使用し、光源部材１１が電気回路基板１２とその電気回路基板１２に配置される複数個の発光ダイオード１３と抵抗１４とからなり、発光部材１０と光源部材１１とにすべて電気コード１５が接続されており、電気コード１５を介して発光に要する電力を取得する。
【００１０】
光線案内板２は矩形に形成される扁平状の透明板体であり、それには、二つの細長い側辺部２０を有し、それらの二つの側辺部２０が対向しあうように配置される。
【００１１】
発光部材１０と光源部材１１とがそれぞれ対応しあうように光線案内板２の二つの側辺部２０に配置され、前記のそれぞれの構成によって本考案の光源構造を組成する。
【００１２】
図３ないし図５に示すように、その光源構造が使用される場合に、発光部材１０と光源部材１１の出射する光線がすべて同じ厚さを有する側辺部２０を通して均一的に光線を発射でき、その光源構造全体の光線出射表面が均一的にならせることができると共に、それぞれの部位の光線出射の均一さと輝度とを向上できる効果を得られる。
【００１３】
図６に示すのは、本考案の他の実施の形態を示す斜視図であり、その発光部材１０’が光線案内板２’のある側辺部２０’に配置され、側辺部２０’に直交する両側辺部２０’には光源部材１１が配置されている。
【産業上の利用可能性】
【００１４】
前記に説明したように、本考案の光源構造による場合、次のような優れた産業上の利用可能性を有する。つまり、
前記発光部材と前記光源部材とがそれぞれ前記光線案内板の側辺部に配置されるので、前記光線案内板の厚さを薄くすることができ、そのため、前記光源構造の体積を縮小でき、軽薄短小とスペースを占用しない効果を達成でき、現代のスペースの狭小化のニーズに応じられ、且つ材料を節約できる効果を兼ねて有することが出来る。また、前記発光部材と前記光源部材の出射する光線がすべて同じ厚さの光線案内板の側辺部を通して均一的に出射出来るので、光源構造の全体の光線出射表面が均一的になり、且つそれぞれの部位の光線出射の均一さと輝度とを向上できる効果を取得できる。
【００１５】
前記に説明した通りに、本考案は、軽薄短小と、コスト降下でき、且つ平均的な均一さと高度の輝度を獲得可能な機能を提供できる。
【００１６】
また、前記に詳しく説明したのは、単に本考案の実施可能な実施例に過ぎず、本考案の主張範囲を拘束するものではなく、本考案の明細書と図面に開示される技術の要旨に基づいて実施される他の改造や変更や一部転用など、本考案と相同の効果を有すれば、すべて本考案の主張範囲内に納入されるべきことは言うまでもない。
【図面の簡単な説明】
【００１７】
【図１】従来の光源構造を示す分解斜視図である。
【図２】従来の光源構造を示す断面図である。
【図３】本考案の光源構造を示す分解斜視図である。
【図４】本考案の光源構造を示す組立斜視図である。
【図５】本考案の光源構造を示す断面図である。
【図６】本考案の光源構造の他の実施の形態を示す分解斜視図である。
【符号の説明】
【００１８】
１、８  発光ユニット
２、２’、９  光線案内板
１０、１０’  発光部材
１１、１１’、８１  光源部材
１２、８２  電気回路基板
１３、８３  発光ダイオード
１４、８４  抵抗
１５  電気コード
２０、２０’  側辺部
８０  ランプ・チューブ
９０  凹槽
９１  細長い側面部
【図１】
0003102801.tif 000003
【図２】
0003102801.tif 000004
【図３】
0003102801.tif 000005
【図４】
0003102801.tif 000006
【図５】
0003102801.tif 000007
【図６】
0003102801.tif 000008